(57)【特許請求の範囲】
【請求項１】
毛髪の傷み具合等を診断するための毛髪診断支援システムにおいて、
被験者の少なくとも１本の毛髪の複数の部位の拡大画像を入力し記憶する画像記憶手段と、
該毛髪の拡大画像を同時に複数示す診断画面を表示する表示手段とを備えることを特徴とする毛髪診断支援システム。
【請求項２】
前記毛髪の部位の１つが、該毛髪の毛根であることを特徴とする請求項１記載の毛髪診断支援システム。
【請求項３】
前記毛髪の部位の１つが、該毛髪の断面であることを特徴とする請求項１又は請求項２記載の毛髪診断支援システム。
【請求項４】
前記拡大画像が、前記毛髪の表面又は断面の色彩を観察可能な顕微鏡を用いて撮影されたカラー画像であり、
前記表示手段が、該拡大画像をカラー表示することを特徴とする請求項１〜請求項３のいずれかに記載の毛髪診断支援システム。
【請求項５】
前記毛髪の引張強度や水分量等の物理量を入力し記憶する物理量記憶手段を備え、
該表示手段が、前記診断画面に該物理量を示すことを特徴とする請求項１〜請求項４のいずれかに記載の毛髪診断支援システム。
【請求項６】
前記表示手段が、前記診断画面を電気通信回線を介して遠隔地の電子計算機に表示する通信機能を備えることを特徴とする請求項１〜請求項５のいずれかに記載の毛髪診断支援システム。
【発明の詳細な説明】
【技術分野】
【０００１】
本発明は、毛髪の傷み具合等を診断するための毛髪診断支援システムに関する。
【背景技術】
【０００２】
従来より、毛髪の診断においては、例えば特許文献１に示されるような、毛髪の表面を光学的に観察し、その観察結果から毛髪状態を診断する毛髪診断システムが用いられている。特許文献１の毛髪診断システムでは、毛髪の顕微鏡画像の他に、毛髪の光沢やその他の有用なデータをデータベースとして蓄積しておき、これらを毛髪の診断に用いている。
【特許文献１】特開２０００−２８７９５３号公報
【発明の開示】
【発明が解決しようとする課題】
【０００３】
しかしながら、最近の毛髪診断においては、１本の毛髪の１箇所の画像や様子を示すだけで、毛髪全体の状況を把握しにくく、より適切な診断が困難であった。
【０００４】
本発明は、このような事情に鑑みてなされたもので、毛髪の正常な部位と傷んだ部位等を見比べながら診断でき、より適切な診断が可能な毛髪診断支援システムを提供することにある。
【課題を解決するための手段】
【０００５】
請求項１記載の毛髪診断支援システムは、被験者の少なくとも１本の毛髪の複数の部位の拡大画像を入力し記憶する画像記憶手段と、毛髪の拡大画像を同時に複数示す診断画面を表示する表示手段とを備えることを特徴とする。
【０００６】
請求項２記載の毛髪診断支援システムは、毛髪の部位の１つが、毛髪の毛根であることを特徴とする。
【０００７】
請求項３記載の毛髪診断支援システムは、毛髪の部位の１つが、毛髪の断面であることを特徴とする。
【０００８】
請求項４記載の毛髪診断支援システムは、拡大画像が、毛髪の表面又は断面の色彩を観察可能な顕微鏡を用いて撮影されたカラー画像であり、表示手段が、拡大画像をカラー表示することを特徴とする。
【０００９】
請求項５記載の毛髪診断支援システムは、毛髪の引張強度や水分量等の物理量を入力し記憶する物理量記憶手段を備え、表示手段が、診断画面に物理量を示すことを特徴とする。
【００１０】
請求項６記載の毛髪診断支援システムは、表示手段が、診断画面を電気通信回線を介して遠隔地の電子計算機に表示する通信機能を備えることを特徴とする。
【発明の効果】
【００１１】
請求項１の発明によれば、被験者の少なくとも１本の毛髪の複数の部位の拡大画像を同時に複数示す診断画面を表示することで、毛髪の正常な部位と傷んだ部位等を見比べながら診断でき、より適切な診断が可能である。
【００１２】
請求項２の発明によれば、入力し表示する毛髪の部位の１つが、毛髪の毛根であることから、毛根の形状により頭皮等の病気の診断が可能となる。
【００１３】
請求項３の発明によれば、入力し表示する毛髪の部位の１つが、毛髪の断面であることから、毛髪の内部状態を観察しつつ、より適切な診断が可能となる。
【００１４】
請求項４の発明によれば、拡大画像が毛髪の表面又は断面の色彩を観察可能な顕微鏡を用いて撮影されたカラー画像であり、拡大画像をカラー表示することで、毛髪表面の色彩の違いから毛髪表面の形状や付着物をより詳細に観察でき、より適切な診断が可能となる。
【００１５】
請求項５の発明によれば、毛髪の引張強度や水分量等の物理量を示すことで、より適切な診断が可能となる。
【００１６】
請求項６の発明によれば、診断画面を電気通信回線を介して遠隔地の電子計算機に表示する通信機能を備えることから、場所を限らず容易に診断や診断状況の確認をすることができる。
【発明を実施するための最良の形態】
【００１７】
以下、本発明の形態について図面を参照しながら具体的に説明する。本発明の形態における毛髪診断支援システムは、毛髪の傷み具合等を診断するためのものである。図１は、本発明に係る毛髪診断支援システムの一例の構成を示す構成図である。図２は、同毛髪診断支援システムの一般顧客の画面構成を示す説明図である。図３は、同毛髪診断支援システムの管理側の画面構成を示す説明図である。図４は、同毛髪診断支援システムのカルテ編集画面を示す説明図である。図５は、同毛髪診断支援システムのカルテ表示画面を示す説明図である。図６は、正常な毛髪の拡大画像を示す説明図である。図７は、傷んだ毛髪の拡大画像を示す説明図である。
【００１８】
図において、毛髪診断支援システム１は、インターネット網や一般回線等の電気通信回線からなる通信網４を介して接続された管理側コンピュータ８とサーバ６等で構成されている。また、通信網４を介して、ユーザ側コンピュータ１０がサーバ６に接続可能に構成されている。これ以外に、毛髪の表面や断面を観察する手段として顕微鏡２０、毛髪の物理量を測定するための手段として引張強度計２２や水分計２４が用いられる。ここで、管理側コンピュータ８及びユーザ側コンピュータ１０は、一般的にはパーソナルコンピュータ等の電子計算機であるが、後述する各種画像等のデータを閲覧可能であれば携帯電話やＰＤＡ（Personal Digital Assistants）のような端末であっても構わない。
【００１９】
また、サーバ６は、後述する各種画像や毛髪の物理量等のデータを記憶する記憶手段（画像記憶手段、物理量記憶手段）を備え、後述する各種のデータの入力や表示を行うためのソフトウェア的な機能を有している。尚、サーバ６の設置形態としては、単独で通信網４に接続可能なものであってもよいく、ＩＳＰ（Internet Services Provider）やＡＳＰ（Application Service Provider）内のものであってもよく、その形態によって制限されるものではない。
【００２０】
本実施の形態の毛髪診断支援システム１は、通信網４で接続されたサーバ６と管理側コンピュータ８で基本的に構成され、サーバ６側で機能するＡＳＰ側のアプリケーションを用いて、管理側コンピュータ８上にその機能を使用可能に実現している。具体的には、図２及び図３に示す画面構成で、管理側コンピュータ８やユーザ側コンピュータ１０が動作することになる。
【００２１】
管理側コンピュータ８の画面構成で機能を説明すると、例えば図３に示すように、管理ページ（画面）に管理者用のＩＤとパスワードとによりログインし、その下に、会員情報の一覧画面、各会員の詳細画面、各会員の詳細画面の編集画面が設けられている。また、管理ページの下に、カルテの一覧の画面があり、その下で各カルテの編集が可能になっている（図４のカルテ編集画面３０）。さらに、管理ページの下では、管理に必要な各種の情報の管理を行う管理画面が設けられている。
【００２２】
ユーザ側コンピュータ１０も、管理側コンピュータ８と同様に、通信網４を介してサーバ６に接続され、サーバ６側で機能するＡＳＰ側のアプリケーションを用いて、ユーザ側コンピュータ１０上にその機能を使用可能に実現している。ユーザ側コンピュータ１０の画面構成で機能を説明すると、例えば図２に示すように、ＴＯＰページに各種案内の画面や会員ページが設けられ、各ユーザは自身のＩＤとパスワードとにより各自のページにログインし、それぞれのカルテの閲覧が可能になっている（図５のカルテ表示画面４０）。
【００２３】
次に、本実施例の毛髪診断支援システム１の使用方法を説明する。まず、ユーザは、毛髪を採取し、採取した毛髪を診断を行う者（診断者）に郵便等で送付する。診断者は、受け取った毛髪の複数の部位の拡大画像を顕微鏡２０で撮影し、撮影した毛髪の拡大画像を管理用コンピュータ８に保存し、カルテ編集画面３０を介してその拡大画像をサーバ６に入力する。撮影する毛髪の部位は、例えば同じ１本の毛髪の毛根、中間部分、毛先部分、断面等である。図４の例では、毛根画像３２、毛髪中間画像３４、毛髪毛先画像３６を入力するようになっている。各部位の拡大画像を入力し、図４に示すように表示手段（ＡＳＰのアプリケーションで実現）で各部位の拡大画像を複数同時に１つの画面で表示可能になっている。
【００２４】
また、図４のカルテ編集画面３０で、ユーザの毛髪のカラー、パーマ、シャンプー頻度、生活習慣等の状況を諸元入力部３８で入力する。さらに、採取した毛髪の引張強度や水分量の物理量を、引張強度計２２や水分計２４で測定し、その測定値を諸元入力部３８で入力する。毛髪の太さや形状等を諸元入力部３８で入力することも可能である。これらの諸元入力部３８で入力した情報も、サーバ６に送られ記憶される。
【００２５】
次に、診断者は、カルテ編集画面３０に表示された毛髪の拡大画像や物理量等から、毛髪の傷み具合等を診断する。そして、診断の結果やケアのアドバイスや推奨するヘアケア用品等を諸元入力部３８で入力する。
【００２６】
ユーザの方では、サーバ６に記憶された採取した毛髪の拡大画像や物理量を、カルテ表示画面４０で確認することが可能である。例えば、カルテ表示画面４０で、ユーザは、健康な髪画像４２やダメージ毛画像４４を目視できる。また、毛髪の物理量に加え、診断の結果のアドバイスや推奨されるヘアケア商品等の情報を確認することもできる。
【００２７】
以上のような本実施の形態の毛髪診断支援システム１によれば、被験者の少なくとも１本の毛髪の複数の部位の拡大画像を同時に複数示す診断画面であるカルテ編集画面を表示することで、毛髪の正常な部位と傷んだ部位等を見比べながら診断でき、より適切な診断が可能である。
【００２８】
尚、入力し表示する毛髪の部位の１つを毛髪の毛根にすることも可能で、毛根の拡大画像を表示することで、毛根の形状により頭皮等の病気の診断が可能となる。
【００２９】
また、入力し表示する毛髪の部位の１つを毛髪の断面とすることで、毛髪の内部状態を観察しつつ、より適切な診断が可能となる。
【００３０】
毛髪の拡大画像の色彩については、顕微鏡の性能にも依存するが、白黒画像が一般的である。しかしながら、毛髪の表面又は断面の色彩を観察可能な顕微鏡を用いて撮影し、拡大画像をカラー表示することで、毛髪表面の色彩の違いから毛髪表面の形状や付着物をより詳細に観察でき、より適切な診断が可能となる。図６及び図７に毛髪の拡大画像を示すが、図６の正常な毛髪の拡大画像に対し、図７の傷んだ毛髪の拡大画像をカラー表示することで、毛髪表面のキューティクルの状況が把握しやすくなり、また毛髪表面の各部分部分の色彩の違いから、システン等の付着物の有無を確認することも可能となる。
【００３１】
また、毛髪の引張強度や水分量等の物理量を示すことで、より適切な診断が可能となる。
【００３２】
さらに、診断画面であるカルテ編集画面３０やカルテ表示画面４０を電気通信回線を介して遠隔地の電子計算機であるパーソナルコンピュータ等に表示する通信機能を備えることから、診断者もユーザも場所を限らず容易に診断や診断状況の確認をすることができる。尚、本実施の形態では、通信網４を介してサーバ６に管理側コンピュータ８やユーザ側コンピュータ１０を接続しているが、このような構成に限定されるものではなく、例えば、通信網４を用いず、管理側コンピュータ８上で上述のアプリケーションを機能させ、管理側コンピュータ８に直接設けられた記憶手段を画像記憶手段や物理量記憶手段として用いることもできる。また、このような管理用コンピュータ８に、ユーザ側コンピュータ１０から通信網４を介して接続することも可能で、構成により限定されるものではない。
【産業上の利用可能性】
【００３３】
以上のように、毛髪の正常な部位と傷んだ部位等を見比べながら診断でき、より適切な診断が可能な毛髪診断支援システムを提供することができる。
【図面の簡単な説明】
【００３４】
【図１】本発明に係る毛髪診断支援システムの一例の構成を示す構成図である。
【図２】同毛髪診断支援システムの一般顧客の画面構成を示す説明図である。
【図３】同毛髪診断支援システムの管理側の画面構成を示す説明図である。
【図４】同毛髪診断支援システムのカルテ編集画面を示す説明図である。
【図５】同毛髪診断支援システムのカルテ表示画面を示す説明図である。
【図６】正常な毛髪の拡大画像を示す説明図である。
【図７】傷んだ毛髪の拡大画像を示す説明図である。
【符号の説明】
【００３５】
１・・・・毛髪診断支援システム
４・・・・通信網
６・・・・サーバ
８・・・・管理側コンピュータ
１０・・・ユーザ側コンピュータ
２０・・・顕微鏡
２２・・・引張強度計
２４・・・水分計
３０・・・カルテ編集画面
３２・・・毛根画像
３４・・・毛髪中間画像
３６・・・毛髪毛先画像
３８・・・諸元入力部
４０・・・カルテ表示画面
４２・・・健康な髪画像
４４・・・ダメージ毛画像
４６・・・諸元表示
【図１】
0005047821.tif 000002
【図２】
0005047821.tif 000003
【図３】
0005047821.tif 000004
【図４】
0005047821.tif 000005
【図５】
0005047821.tif 000006
【図６】
0005047821.tif 000007
【図７】
0005047821.tif 000008